(57)【特許請求の範囲】
【請求項１】
硬さ２００Ｎ（ＪＩＳ  Ｋ６４００  ４０％圧縮硬さ）以上の硬さで構成された第１のマットと、
硬さ１５０Ｎ（ＪＩＳ  Ｋ６４００  ４０％圧縮硬さ）以下の硬さで構成された第２のマットと、
前記第１のマットが表面に、前記第２のマットが裏面となるように構成することで、表裏で異なる硬さとなる動物用マットレスであって、
前記動物用マットレスには、カバーが装着されており、
前記カバーは、前記カバーに設けられた線ファスナーにより開口可能に構成され、
前記線ファスナーにおけるスライダーの引き手部分が、マット内側向きに設けられていることを特徴とする動物用マットレス。
【請求項２】
第１の面が第１の硬さで構成された第１のマットと、
第２の面が第１の硬さより軟らかい硬さである第２の硬さで構成された第２のマットと、
で構成された動物用マットレスであって、
前記動物用マットレスには、カバーが装着されており、
前記カバーは、前記カバーに設けられた線ファスナーにより開口可能に構成され、
前記線ファスナーにおけるスライダーの引き手部分が、マット内側向きに設けられていることを特徴とする動物用マットレス。
【請求項３】
第１の面が第１の硬さで構成された第１のマットと、第２の面が第１の硬さより軟らかい硬さである第２の硬さで構成された第２のマットと、で構成された動物用マットレスに装着されるカバーであって、
前記カバーは、前記カバーに設けられた線ファスナーにより開口可能に構成され、
前記線ファスナーにおけるスライダーの引き手部分が、マット内側向きに設けられていることを特徴とするカバー。
【発明の詳細な説明】
【技術分野】
【０００１】
本発明は、動物用マットレスに関する。
【背景技術】
【０００２】
従来から、ペット用のマット（マットレス）が知られている（例えば、特許文献１参照）。近年、動物（好適な例としてはペットとして良く飼われる犬）も人間同様寿命が伸びでおり、動物においても介護が必要となる場合がある。その為、動物用介護製品も登場している（例えば、特許文献２参照）。
【先行技術文献】
【特許文献】
【０００３】
【特許文献１】特開２００５−１４３４９６号公報
【特許文献２】特開２０１３−００００８０号公報
【発明の概要】
【発明が解決しようとする課題】
【０００４】
通常犬や猫等のペットを飼育する際に寝床となるマットとしては、一般的に綿の柔らかいクッションで出来ている物が多い。ペットが好む柔軟性があって、安眠効果等も期待できるからである。しかし、健常なときは問題無いが、ペットが年を取ってくると、足腰が弱くなり、立ち上がりがしづらくなるといった問題があった。
【０００５】
また、更にペットの足腰が弱ると、立ち上がる事が困難になり臥位姿勢を続け褥瘡になってしまうという問題点があった。臥位した場合に、前足後ろ足を体の下に敷いて寝る事が多い。ペットの足関節部周辺は、周りが筋肉や脂肪で覆われない部分であるため褥瘡が発生しやすい。人間と比較して、褥瘡リスクが高い、寝たきりの期間は僅かであるにも関わらず、褥瘡リスク軽減のために新たなマットに買い替えなければならないという問題が生じていた。
【０００６】
上述した課題に鑑み、本発明は一つのマットレスで、ペットが健康なときでも、ペットの体力が落ちた場合でも、適切な状態で使用することができる動物用マットレスを提供することである。
【課題を解決するための手段】
【０００７】
上述した課題に鑑み、本発明の動物用マットレスは、
硬さ２００Ｎ（ＪＩＳ  Ｋ６４００  ４０％圧縮硬さ）以上の硬さで構成された第１のマットと、
硬さ１５０Ｎ（ＪＩＳ  Ｋ６４００  ４０％圧縮硬さ）以下の硬さで構成された第２のマットと、
前記第１のマットが表面に、前記第２のマットが裏面となるように構成することで、表裏で異なる硬さとなることを特徴とする。
【発明の効果】
【０００８】
本発明によれば、動物用マットレスにおいて、裏表の硬さが異なるものを提供できる。例えば、硬さ２００Ｎ（ＪＩＳ  Ｋ６４００  ４０％圧縮硬さ）以上の硬さで構成された第１のマットを表面、硬さ１５０Ｎ（ＪＩＳ  Ｋ６４００  ４０％圧縮硬さ）以下の硬さで構成された第２のマットを裏面とすることができる。これによって、ペットの状態に応じて表面、裏面とを選択して使用することができる。
【図面の簡単な説明】
【０００９】
【図１】本実施形態におけるマットレス全体を説明するための図である。
【図２】本実施形態におけるマットレスにカバーを装着した図である。
【発明を実施するための形態】
【００１０】
以下、図面を参照して本発明を実施するための最良の形態について説明する。以下の実施形態は、本発明の動物用マットレスを適用した一例であり、発明の内容が、本実施形態に限定されるものではないのは勿論である。なお、本実施形態における動物とは、ペットとして飼われる動物であり、例えば犬や猫等が好適である。
【００１１】
図１は、本発明を適用した動物用のマットレス１を示す図である。ハード面のマット３とソフト面のマット５との２層の構造となっており、リバーシブルに利用することが可能となっている。
【００１２】
ハード面のマット３は、硬さ２００Ｎ（ＪＩＳ  Ｋ６４００  ４０％圧縮の硬さ）以上の硬さでできており、ソフト面のマット５は１５０Ｎ（ＪＩＳ  Ｋ６４００  ４０％圧縮の硬さ）以下の硬さで構成されている。厚みは動物が乗り降りしやすいように薄型が良い。すなわち、一面は固く、他面は軟らかく構成されている。
【００１３】
また、マットの表面の形状としては、図１のハード面のマット３で示したように波形の形状に構成されている。これにより、角度調整に応じて曲がりやすい形状となっており、動物（例えば、大型犬）の寝返りや上体起こしをしやすい構造となっている。また、適度な柔軟さと剛性とを併せ持つ硬化ばね特性により、動物の自然な寝姿勢を保持することが可能となっている。なお、形状としては波形の形状だけでなく、例えば、凹凸の形状であっても良い。
【００１４】
また、マット層は２層以上の積層でもよく、ハード面からソフト面にかけて段階的に硬さが変化する（例えば、徐々に軟らかくなる）構造としても良い。
【００１５】
また、ハード面、ソフト面ともに硬さの目安としては、動物が４本の足で立ち上がった際にどちらの面でも床に底付かない硬さが適切である。
【００１６】
また、マットの素材としては、発泡ポリウレタン、ポリエステル等の綿、スプリング、ラテックス、立体網状クッション等の素材で構成されている。一例として、ハード面のマット３にポリエステル繊維製シート、ソフト面のマット５にウレタンフォームを利用することができる。なお、これらの素材の構造を通気性・通水性を獲得できるようにすることで、例えば洗浄がしやすくなるといった特徴がある。
【００１７】
更に、マットレス１の大きさとしては、犬用寝具と同程度の広さで構成されている。すなわち、好適には１メートル未満程度の大きさで構成されており、例えば９１ｃｍ×６３ｃｍ程度となっている。また、厚さとしては、図１の場合は、ハード面のマット３は４ｃｍ程度、ソフト面のマット５は２．５ｃｍ程度であり、全体として６．５ｃｍ程度の厚さとなっている。なお、大型犬用に別サイズとしてもよく、例えば１２８ｃｍ×９１ｃｍ程度のサイズであっても良い。
【００１８】
なお、ハード面のマット３と、ソフト面のマット５とは分離可能に構成されていてもよい。そして、マットレス１を重ねて利用してもよく、分離可能な場合にはマット３やマット５を重ねて使用しても良い。
【００１９】
更に動物用のマットレス１は、カバー７が装着されている。カバー７は、例えば抗菌・防かび・消臭加工がされており、取り外しができるようになっている。このカバー７は、（線）ファスナー９により開口可能に構成されており、このファスナーを開閉するスライダーの引き手部分が、マット内側になるように取り付けられている。引き手部分がマット内側向きに取り付けられていることから、動物が咥えてしまうことを防止することができる。カバー７は、例えばポリエステル等の素材で構成されている。
【００２０】
このように、本実施形態のマットレス１を用いることにより、健康な状態の動物であっても、加齢等により体力が落ちた動物であっても、同一のマットレスを利用することができる。これにより、動物の介護用に改めてマットレスを購入する必要が無くなる。とくに、ペット用の介護施設においては、症状に応じて複数のマットレスを揃える必要が無くなる。
【００２１】
以上、この発明の実施形態について図面を参照して詳述してきたが、具体的な構成はこの実施形態に限られるものではなく、この発明の要旨を逸脱しない範囲の設計等も特許請求の範囲に含まれる。
【符号の説明】
【００２２】
１  マットレス
３、５  マット
７  カバー
９  ファスナー
【図１】
0006542055.tif 000002
【図２】
0006542055.tif 000003